(57)【要約】【課題】ライフル銃と散弾銃はそれぞれ特性があって、猟の対象によって使い分けるのが望ましいが、重量があって山野を歩きにくいということで、散弾銃を携行し散弾粒の大きさによって使い分けるという方法を用いていた。しかし大中形獣に対しては、例え一発弾丸タイプの弾薬であっても、威力は小さく命中精度も低いので理想的なものとはなっていなかった。【解決手段】ライフル銃に装填して使用される弾薬であってその弾頭部は複数の散弾粒を収納したワッズにより構成されているものであることを特徴とする弾薬。この弾薬をライフル銃と共に携行しておけば、充分な威力と命中精度の約束されたライフル銃として通常は使用し、状況によってはそのライフル銃を散弾銃として用いるということが可能になる。【選択図】  図１
2004177047.tif 000002
【特許請求の範囲】
【請求項１】
ライフル銃に装填して使用される弾薬であってその弾頭部は複数の散弾粒を収納したワッズにより構成されているものであることを特徴とする弾薬。
【発明の詳細な説明】
【０００１】
【発明の属する技術分野】
本発明は、ライフル銃を用いて鳥などの狩猟ができる新規な弾薬の構造に関するものである。
【０００２】
【従来の技術】
狩猟用の銃器、即ち猟銃は、一般には散弾銃を指して言うが、シカやイノシシ等の大・中型獣を対象とするライフル銃も含めていることも多い。散弾銃は飛距離、命中精度ともライフル銃より劣るものであるが、射程の短いことが多い我が国ではかなりの実用性を発揮している。
【０００３】
そこで、例えばイノシシ猟に出かける場合にはライフル銃を持ってゆけば良いということになるが、現地に到着し獲物を探索しても、イノシシは全く見つからずキジやカモに出くわすという可能性がある。勿論その逆に、シカを見つけたのに手には散弾銃しかないという場面もある。
【０００４】
このような事態に備えて、ライフル銃と散弾銃の双方を携えて猟をすることがある。しかし、山野を歩くハンターにとって２挺の銃を携えるのは困難である。また、狩猟現場まで双方の銃を持ってゆき現地でどちらかを選択することも考えられるがこの方法は、片方の銃を所持者の目の届かない所に置くことになるので盗難の恐れがあるし、そもそも違反行為である。
【０００５】
【発明が解決しようとする課題】
そこで、散弾銃だけを持参しておきシカやイノシシを狙う場合には、通常の散弾銃用カートリッジと同様の外形をしているが多数の散弾粒ではなく１個の弾頭が格納されたカートリッジを使用する、ということが行われている。一発弾丸或いはライフルスラッグと呼ばれるものでありこの場合には大型獣も対象とし得る能力を発揮する。但し、近距離狙撃にしか向かず、弾頭に羽根を付けるなどして直進性を上げたものもあるがライフルとは比べものにはならない。
【０００６】
つまり、カモもシカも１挺で狙える銃は存在するが、あくまで鳥撃ちが主体であって大中型獣に対しては、命中精度、威力共に満足のゆくものとはなっていなかった。
【０００７】
【課題を解決するための手段】
以上のような現状に鑑み、本発明者は鋭意研究の結果遂に本発明を成したものでありその特徴とするところは、ライフル銃に装填して使用される弾薬であってその弾頭部は複数の散弾粒を収納したワッズにより構成されている点にある。
【０００８】
即ち本発明は、ライフル銃に装填される散弾である。ライフル銃用の弾薬の場合には、弾頭、薬莢、火薬、雷管の組合せで形成され、その薬莢（カートリッジケース）の形状は、くびれ部分があり弾頭口径よりもケースの方が大きい「ボトルネックタイプ」と呼ばれるものである。この薬莢に、雷管と火薬が納められその開口部分に弾頭を嵌め込んで弾薬となる。
【０００９】
本発明の弾薬は、このライフル銃用弾薬と同一の外形を有しているわけであるが、弾頭部分がワッズとなっており、火薬によってワッズが押し出されワッズから散弾粒が飛び出すという形で発射される。本発明弾薬のワッズの径が、通常の散弾のワッズの径に比して非常に小さいので、所定量の散弾粒を格納しておくためライフル弾薬の弾頭に比して長さのあるワッズとなる可能性が大きい。勿論この場合充填できる火薬量は少なくなるが、ライフル銃を用いて散弾を発射するという状況を勘案すると通常のライフル弾薬を発射する時ほど大きな射程が求められないことが多いので、火薬量の減少は目的に概ね合致すると言える。なお、ワッズ長さを長く、火薬量を少なくして全長は変えないとなると、通常のライフル弾薬の構造の「ボトルネック」で言うところのくびれ位置がずれてしまうことになるので、正規形状とするための工夫が必要となる。但し、ワッズ長さをいか程にするか、或いはくびれ位置を調整するためにどうするのか、等々は本発明に必須の要件ではなく本発明を限定するものではない。
【００１０】
更に、ライフル銃の銃腔にはライフリングと呼ばれるらせん溝が刻設されており、通常の弾頭はこの溝に食い込む形で回転力が付与されることになるが、本発明弾薬のワッズがどのような構造でライフリングに対応するのかについても本発明は何ら限定しないものとする。但し、このライフリングが損傷しないような材質のワッズとすることは云うまでもない。
【００１１】
【発明の実施の形態】
以下図面に基づいて本発明をより詳細に説明する。
【００１２】
図１は、本発明に係る弾薬１（以下「本発明弾薬１」という）の一例を示すものであり、図より明らかなように本発明弾薬１はいわゆる「ボトルネック」タイプの弾薬であり、外形はライフル銃用弾薬と同一寸法となっている。
【００１３】
但し、内部構造は大きく異なるものであり、弾頭型ワッズ２が薬莢部３の内部深くまで達しており、このことから火薬４の量が通常のライフル銃用弾薬の場合に比して少なくなっている。薬莢部３は、真鍮製円筒体３１とこの外側に被せられるプラスチック製被覆体３２とにより構成されている。該被覆体３２によって元来円筒形をしていた外表面にクビレ部３３が形成され全体形状をライフル銃に適応させている。また、本発明弾薬１の末端部に設けられている雷管５については、従来のライフル銃用弾薬に用いられている雷管と異なるところはない。
【００１４】
薬莢部３の構造は、図２の如きものであっても良い。本例は、クビレ部３３を被覆体によって形成するという方法ではなく、通常のライフル銃用の弾薬のカートリッジケース、あるいはそれと同形のケースの内部空間を平滑な円柱形にするため、クビレ部分から後端位置まで詰め材３４を入れたというものである。
【００１５】
弾頭型ワッズ２は、図３からも明らかなように、銃腔径に沿った外径を有するプラスチック製ケース２１とこのケース２１内に格納される多数の散弾粒２２、及びケース２１の先端部を覆う紙製シール２３とにより形成されている。発射された弾頭型ワッズ２は、通常の散弾銃用弾薬の場合と同様、ケース２１が散弾粒２２を抱えた状態で銃腔内で加速され、銃口を離れた直後にケース２１は空気抵抗で減速し、次に散弾粒２２はシール２３を破って広がりながら飛んでゆくことになる。
【００１６】
【発明の効果】
以上詳細に説明したように本発明に弾薬は、ライフル銃に装填して使用される弾薬であってその弾頭部は複数の散弾粒を収納したワッズにより構成されているものであることを特徴とするものであり、ライフル銃１挺を持参して狩猟に出かけ、鳥類や小型獣に遭遇した場合であっても、装填されている或いは装填する弾薬を本発明弾薬とするだけで狩猟対象とすることができるという効果を有する極めて高度な発明である。
【図面の簡単な説明】
【図１】本発明に係る弾薬の一例を示す概略断面図である。
【図２】本発明に係る弾薬の他の例を示す概略断面図である。
【図３】本発明に係る弾薬の弾頭部分の一例の概略断面図である。
【符号の説明】
１    本発明に係る弾薬
２    弾頭型ワッズ
２１  ケース
２２  散弾粒
２３  シール
３    薬莢部
３１  円筒体
３１  被覆体
３３  クビレ部
３４  詰め材
４    火薬
５    雷管
【図１】
2004177047.tif 000003
【図２】
2004177047.tif 000004
【図３】
2004177047.tif 000005